(57)【要約】      （修正有）【課題】年間を通じて季節や天候にかかわらず練習でき、しかも練習スペースを最少限にし、衝撃音・振動を殆んど発生させることがなくて、一般住宅の室内において手軽に実際のアプローチの感覚で練習ができるとともに、打球をスポンジマットの上に確実に落下させるようにしたゴルフアプローチ練習ネット構造体を課題とする。【解決手段】本考案は、横行ポール２から打球受け止めネット３を吊してそこにたるみをもたせ、その後方に、上端を前記横行ポール２に固定し、下端を横行ポールより後方の床面に固定して傾斜張設したキャッチネット１を設け、打球受け止めネット３が打球を受けた時その打球を包みこんで落下させるようにたるみを持たせた打球受け止めネット３の下端をキャッチネット１の下端に固定し、打球受け止めネット３の下方に、そのネットから落下するゴルフボールを受け止めるスポンジマット１０を配置してなるゴルフアプローチ練習ネット構造体である。【選択図】図１
0003104204.tif 000002
【実用新案登録請求の範囲】
【請求項１】
横行ポール（２）から打球受け止めネット（３）を吊してそこにたるみをもたせ、その後方に、上端を前記横行ポール（２）に固定し、下端を横行ポールより後方の床面に固定して傾斜張設したキャッチネット（１）を設け、打球受け止めネット（３）が打球を受けた時その打球を包みこんで落下させるようにたるみを持たせた打球受け止めネット（３）の下端をキャッチネット（１）の下端に固定し、打球受け止めネット（３）の下方に、そのネットから落下するゴルフボールを受け止めるスポンジマット（１０）を配置してなるゴルフアプローチ練習ネット構造体。
【請求項２】
ネット支持枠の傾斜背面にキャッチネット（１）を張設固定し、その前面で支持枠の上部から打球受け止めネット（３）を吊してそこにたるみを持たせ、打球受け止めネット（３）が打球を受けた時その打球を包みこんで落下させるようにたるみを持たせた打球受け止めネット（３）の下端をネット支持枠の下部に固定し、打球受け止めネット（３）の下方に、そのネットから落下するゴルフボールを受け止めるスポンジマット（１０）を配置してなるゴルフアプローチ練習ネット構造体。
【考案の詳細な説明】
【技術分野】
【０００１】  本考案はゴルフアプローチ練習ネット構造体に関し、特に、練習スペースを最少限にし、衝撃音・振動が殆んどなくて手軽に練習できるとともに、打球をスポンジマットの上に確実に落下させるようにしたゴルフアプローチ練習ネット構造体に関する。
【背景技術】
【０００２】  従来からゴルフのアプローチ練習をする工夫は各人各様になされてきた。通常、遠くのゴルフ練習場へでかけたり、或いは自宅の庭を利用して練習を行ってきた。しかし、屋外で練習をする場合、天候に左右される。従って、天候に左右されることがなく、もっと手軽に実際のアプローチの感覚で練習ができるような工夫が望まれる。【０００３】
【特許文献１】実用新案登録第３０９３７３２号（実願２００２−００７６５８）
【考案の開示】
【考案が解決しようとする課題】
【０００４】  上記文献１の実用新案登録第３０９３７３２号は本出願人による出願である。本出願人は打球受け止めネットにたるみをもたせることにより、実用新案登録第３０９３７３２号の打球受け止めネットより、打球をより確実にスポンジマットの上に落下させることができることを発見した。  そこで、年間を通じて季節や天候にかかわらず練習でき、しかも練習スペースを最少限にし、衝撃音・振動を殆んど発生させることがなくて、一般住宅の室内において手軽に実際のアプローチの感覚で練習ができるようにするとともに、練習時の打球をスポンジマットの上に確実に落下させることを本考案の第１の課題とする。
【課題を解決するための手段】
【０００５】  本考案は、横行ポール（２）から打球受け止めネット（３）を吊るしてそこにたるみを持たせ、その後方に、上端を前記横行ポール（２）に固定し、下端を横行ポールより後方の床面に固定して傾斜張設したキャッチネット（１）を設け、打球受け止めネット（３）が打球を受けた時その打球を包みこんで落下させるようにたるみを持たせた打球受け止めネット（３）の下端をキャッチネット（１）の下端に固定し、打球受け止めネット（３）の下方に、そのネットから落下するゴルフボールを受け止めるスポンジマット（１０）を配置してなるゴルフアプローチ練習ネット構造体である。【０００６】  本考案はまた、ネット支持枠の傾斜背面にキャッチネット（１）を張設固定し、その前面で支持枠の上部から打球受け止めネット（３）を吊るしてそこにたるみを持たせ、打球受け止めネット（３）が打球を受けた時その打球を包みこんで落下させるようにたるみを持たせた打球受け止めネット（３）の下端をネット支持枠の下部に固定し、打球受け止めネット（３）の下方に、そのネットから落下するゴルフボールを受け止めるスポンジマット（１０）を配置してなるゴルフアプローチ練習ネット構造体である。
【考案の効果】
【０００７】  打球受け止めネット３はたるみを持って吊されているので、それがが打球を受けた時その打球を包みこんで確実にウレタンマットの上に落下させる効果がある。【０００８】  本考案を室内で使用する場合、年間を通じて季節や天候にかかわらず練習ができ、しかも練習スペースが最少限ですみ、打球による衝撃音や振動を殆んど発生させることがなくて、一般住宅の室内において手軽に実際のアプローチの感覚で練習ができ、技術の向上がはかれる効果がある。【０００９】  本考案のゴルフアプローチ練習ネット構造体は、横行ポールを屋内の適所に吊すだけですみ、組立て、取り外しを簡単に行えるような構造にしたので屋外にも簡単に持ち出すことができ手軽に利用できる効果がある。【００１０】  また、本考案のネット支持枠は実施例２に示すように、上枠、下枠、左右両枠でなる組立式で構成する場合、それらの枠を継手で簡単に連結できるので好みの場所に組立て設置でき、それにネットを取りつけるだけで簡単に準備ができる効果がある。
【考案を実施するための最良の形態】
【００１１】  本考案のゴルフアプローチ練習ネット構造体において、サイズが最も大きなキャッチネット１でさえ、例えば高さが１ｍ５０ｃｍ、幅が２ｍ程度であるので一般住宅の室内において練習スペースを十分に確保することができる。  本考案の打球受け止めネット３は、キャッチネット１の幅一杯の広がりを有し、横行ポール１から（図１）、或いはネット支持枠の上枠から（図３）吊されて放物線を描くようにたるみを持ってその下端がキャッチネット１の下端に（図１）、或いはネット支持枠の下枠に（図３）固定される。打球受け止めネット３のたるみは、それが打球を受けた時その打球を包みこんで落下させるに十分な程度のものである。【００１２】  練習時の打球は、図２に矢印で示すように、打球受け止めネット３へ向かって種々の角度で飛ぶが、いずれも打球受け止めネット３に当たると、跳ね返ることなくそのネット３に包まれる状態で確実に下に落ちる。ネット３の下には、スポンジマット１０があり、ネット３から落下したボールはスポンジマット１０にぶつかる。その結果、衝撃は吸収緩和され、室内でも騒音に悩まされることはない。【００１３】  また、打球受け止めネット３は、打球を包み込む作用を持つばかりでなく上述のようにキャッチネット１と同じ広がりを有するので打球の飛散を十分に防止できる。  さらに、打球の飛散防止を完璧にするために、図３に示すような囲いネット８、９を使用することもできる。勿論、図１にも使用することができる。【００１４】  このゴルフアプローチ練習ネット構造体は、横行ポールを室内のどこにでも吊すことができ、そこからキャッチネット１を後方へ傾斜させ床面に張設固定し、打球受け止めネット３を横行ポール２から垂らしてたるみを持たせるようにその下端を固定し、その打球受け止めネット３の下にスポンジマット１０を敷くだけで準備が終わるといった具合に組立てが簡単であり、また取り外しも同様に簡単に行えるのでこれを室内のみならず屋外で樹木などを利用して使用することも可能である。  尚、アプローチ練習の飛距離は４０ヤード以内とした。
【実施例１】
【００１５】  本考案を室内で使用した例で説明する。図１に示すように、アルミやプラスチックでなる横行ポール２の両端部を部屋の高所から吊す。  キャッチネット１は例えば高さが１ｍ５０ｃｍ、幅が２ｍ程度のもので、素材はナイロンで、ゴルフボールが逃げない程度の目の大きさを持つネットで構成する。これはアプローチ練習の打球が飛散するのを防ぐためのものであって、キャッチネット１の上端を横行ポール２に固定し、下端を横行ポールより後方の床面に傾斜するように固定して張設する。傾斜度は横行ポールからの垂線に対して約６０度程度が好ましい。【００１６】  打球受け止めネット３は、キャッチネット１の幅一杯の広さを持ち、その上端を適切な方法で横行ポール２に固定する。横行ポールから吊された打球受け止めネット３は図２に示すような放物線を描くようにその下端をキャッチネット１の下端に固定する。打球受け止めネット３の素材はポリエチレンでネットの目の大きさはキャッチネット１のそれよりやや小さい方が好ましい。打球受け止めネット３の下方にそのネットから落下するゴルフボールを受け止めるスポンジマット６を敷設する。スポンジマット６はネット３から落下したボールの衝撃を吸収するので衝撃が緩和される。ここに記載の寸法や材質はこれに制限されるものではなく、他の適切な寸法や材質に置き換え得ることは言うまでもない。
【実施例２】
【００１７】  矩形の下枠５と、略三角形の左右両枠６、７と、コの字形上枠４とでなる組立式ネット支持枠の各枠間を適切な継ぎ手で連結してネット支持枠を適所に組み立てる。  ネット支持枠の傾斜背面にキャッチネット１を張設固定し、その前面で上枠４の上部から打球受け止めネット３を吊して図２と同様に放物線を描くようにたるみを持たせ、ネット３の下端をキャッチネット１の下端に固定する。打球受け止めネット３はキャッチネット１の前面でその幅いっぱいの広がりをもつ。打球受け止めネット３が練習時の打球を受けた時、たるみによって打球は包みこまれ、その下に配置されたスポンジマット１の上に確実に落下する。  ネット支持枠の傾斜背面の傾斜度やネットの材質やネットの目の大きさなどは実施例１と同じである。また、ネット支持枠は組立式に制限されるものではなく他の適切な支持体も使用できる。  さらに、打球の飛散防止を完璧にするために、図３に示すような囲いネット８、９を必要に応じて使用することもできる。勿論、実施例１にも使用することができる。
【図面の簡単な説明】
【００１８】
【図１】本考案のゴルフアプローチ練習ネット構造体の要部の正面図である。
【図２】本考案のゴルフアプローチ練習ネット構造体の概略側面図であって、練習用打球がキャッチネットの内側に放物線状にたるみをもって位置する打球受け止めネットを示し、それに打球がぶつかる方向をいくつか矢印で示した。
【図３】本考案のゴルフアプローチ練習ネット構造体の変形例であって、横行ポールの代わりにネット支持枠を使用し、囲いネットを張った状態の斜視図である。
【符号の説明】
【００１９】１    キャッチネット                  ２  ポール３    打球受け止めネット              ４  ネット支持枠の上枠５    ネット支持枠の下枠              ６  右側枠７    左側枠                          ８  右囲いネット９    左囲いネット                  １０  スポンジマット１１  練習マット                    １２  ゴルフボール
【図１】
0003104204.tif 000003
【図２】
0003104204.tif 000004
【図３】
0003104204.tif 000005